(57)【要約】【課題】下腿のマッサージ効果を高めることのできるオットマンおよびマッサージ装置を提供する。【解決手段】このオットマン３０は、下腿の背面をマッサージする下腿背面エアバッグ６０を備える。また、下腿背面エアバッグ６０として、境界部分６３を介して隣り合う第１下腿背面エアバッグ６１および第２下腿背面エアバッグ６２を備える。また、下腿の延びる方向に沿うように境界部分６３が形成される。【選択図】図２
2012070768.tif 000002
【特許請求の範囲】
【請求項１】
下腿の背面をマッサージする下腿背面エアバッグを備えるオットマンにおいて、
前記下腿背面エアバッグとして、境界部分を介して隣り合う第１下腿背面エアバッグおよび第２下腿背面エアバッグを備え、前記下腿の延びる方向に沿うように前記境界部分が形成される
ことを特徴とするオットマン。
【請求項２】
請求項１に記載のオットマンにおいて、
前記下腿の側面をマッサージする下腿側面エアバッグを備え、
前記下腿側面エアバッグとして、境界部分を介して隣り合う第１下腿側面エアバッグおよび第２下腿側面エアバッグを備え、前記下腿の幅方向に沿うように前記境界部分が形成される
ことを特徴とするオットマン。
【請求項３】
請求項２に記載のオットマンにおいて、
互いに独立して動作することができるように前記第１下腿側面エアバッグおよび前記第２下腿側面エアバッグが構成される
ことを特徴とするオットマン。
【請求項４】
請求項１〜３のいずれか一項に記載のオットマンにおいて、
互いに独立して動作することができるように前記第１下腿背面エアバッグおよび前記第２下腿背面エアバッグが構成される
ことを特徴とするオットマン。
【請求項５】
下腿の側面をマッサージする下腿側面エアバッグを備えるオットマンにおいて、
前記下腿側面エアバッグとして、境界部分を介して隣り合う第１下腿側面エアバッグおよび第２下腿側面エアバッグを備え、前記下腿の延びる方向に沿うように前記境界部分が形成される
ことを特徴とするオットマン。
【請求項６】
請求項１〜５のいずれか一項に記載のオットマンを備えるマッサージ装置。
【発明の詳細な説明】
【技術分野】
【０００１】
本発明は、下腿の背面をマッサージする下腿背面エアバッグを備えるオットマンおよびマッサージ装置に関する。
【背景技術】
【０００２】
特許文献１に記載のマッサージ装置のオットマンには、右下腿の背面をマッサージするためのエアバッグおよび左下腿の背面をマッサージするためのエアバッグがそれぞれ１個ずつ設けられている。そして、これらエアバッグが膨張および収縮することにより下腿のマッサージが行われる。
【先行技術文献】
【特許文献】
【０００３】
【特許文献１】特開平８−８９５４０号公報
【発明の概要】
【発明が解決しようとする課題】
【０００４】
ところで、上記特許文献１のオットマンの構造からすると、エアバッグが膨張したときに同エアバッグが下腿の背面に対して十分に接触しないと考えられる。すなわち、下腿背面は幅方向の中央部分が幅方向の外側部分よりも突き出た形状のため、下腿背面の外側部分においてエアバッグと下腿とが十分に接触しないと考えられる。このため、下腿に対して期待されるマッサージが行われないおそれがある。なお、上記の問題は、下腿の側面をマッサージするためのエアバッグについても概ね共通するものといえる。
【０００５】
本発明はこのような実情に鑑みてなされたものであり、その目的は、下腿のマッサージ効果を高めることのできるオットマンおよびマッサージ装置を提供することにある。
【課題を解決するための手段】
【０００６】
以下、上記目的を達成するための手段について記載する。
・本発明のオットマンは、下腿の背面をマッサージする下腿背面エアバッグを備えるオットマンにおいて、前記下腿背面エアバッグとして、境界部分を介して隣り合う第１下腿背面エアバッグおよび第２下腿背面エアバッグを備え、前記下腿の延びる方向に沿うように前記境界部分が形成されることを特徴としている。
【０００７】
・このオットマンにおいては、前記下腿の側面をマッサージする下腿側面エアバッグを備え、前記下腿側面エアバッグとして、境界部分を介して隣り合う第１下腿側面エアバッグおよび第２下腿側面エアバッグを備え、前記下腿の幅方向に沿うように前記境界部分が形成されることが好ましい。
【０００８】
・このオットマンにおいては、互いに独立して動作することができるように前記第１下腿側面エアバッグおよび前記第２下腿側面エアバッグが構成されることが好ましい。
・このオットマンにおいては、互いに独立して動作することができるように前記第１下腿背面エアバッグおよび前記第２下腿背面エアバッグが構成されることが好ましい。
【０００９】
・本発明のオットマンは、下腿の側面をマッサージする下腿側面エアバッグを備えるオットマンにおいて、前記下腿側面エアバッグとして、境界部分を介して隣り合う第１下腿側面エアバッグおよび第２下腿側面エアバッグを備え、前記下腿の延びる方向に沿うように前記境界部分が形成されることを特徴とする。
【発明の効果】
【００１０】
本発明によれば、下腿のマッサージ効果を高めることのできるオットマンおよびマッサージ装置を提供することができる。
【図面の簡単な説明】
【００１１】
【図１】本発明の一実施形態のマッサージ装置について、その全体の構成を示す斜視図。
【図２】同実施形態のマッサージ装置のオットマンについて、（Ａ）は第１オットマンの正面構造を示す正面図、（Ｂ）は第２オットマンの正面構造を示す正面図。
【図３】同実施形態のマッサージ装置のオットマンについて、そのエア供給部の回路構成を示すブロック図。
【図４】同実施形態のマッサージ装置のオットマンについて、そのエアバッグの動作パターンを示すタイミングチャート。
【図５】同実施形態のマッサージ装置のオットマンについて、そのエアバッグの動作パターンを示すタイミングチャート。
【図６】同実施形態のマッサージ装置のオットマンについて、そのエアバッグの動作パターンを示すタイミングチャート。
【図７】本発明のその他の実施形態のマッサージ装置のオットマンについて、そのエアバッグの動作パターンを示すタイミングチャート。
【図８】本発明のその他の実施形態のマッサージ装置のオットマンについて、そのエアバッグの動作パターンを示すタイミングチャート。
【発明を実施するための形態】
【００１２】
図１〜図６を参照して、本発明の一実施形態について説明する。
図１に、マッサージ装置１の全体構成を示す。
マッサージ装置１は、ユーザが腰をかけるための椅子１０と、ユーザの背中等をマッサージするためのマッサージ機構２０と、下腿をマッサージするためのオットマン３０とを含む。なお、以下の説明では、背もたれ１１の長手方向を高さ方向として示す。
【００１３】
椅子１０には、ユーザが背中をもたれかけるための背もたれ１１と、ユーザが着座するための座部１２と、ユーザが肘を置くための肘掛１３と、椅子１０を支持するための脚１４と、エアバッグにエアを供給するためのエア供給部８０とが設けられている。なお、以下の説明では、背もたれ１１の長手方向を高さ方向として示す。
【００１４】
マッサージ機構２０には、ユーザの背中等をマッサージするための一対の施療子２１と、同施療子２１を動作させるための駆動装置２２とが設けられている。
オットマン３０は、下腿のマッサージを行うための第１オットマン４０と、足のマッサージを行うための第２オットマン７０とを含む。
【００１５】
マッサージ機構２０には、駆動装置２２を背もたれ１１に対して高さ方向にスライドさせるためのガイドレール（図示略）が設けられている。
座部１２の前面には、座部１２に対して回転可能な状態で第１オットマン４０が設けられている。第１オットマン４０の下部には、第１オットマン４０に対して回転可能な状態で第２オットマン７０が設けられている。第１オットマン４０および第２オットマン７０は、ポリプロピレン等の硬質な材料で成型されている。
【００１６】
マッサージ装置１には、この他に操作部（図示略）が設けられている。操作部には、マッサージ機構２０およびオットマン３０の動作の開始および終了を選択するためのボタン、およびマッサージ機構２０およびオットマン３０によるマッサージの態様を選択するためのボタンが設けられている。
【００１７】
図２を参照して、オットマン３０の詳細な構成について説明する。
以下の説明では、オットマン３０の短手方向を「高さ方向」とし、オットマン３０の長手方向を「幅方向」とする。ユーザの下腿がオットマン３０に挿入されたとき、下腿が延びる方向と高さ方向とが一致する。
【００１８】
第１オットマン４０には、その幅方向の両端に一対の外壁４１が設けられている。また、一対の外壁４１の間には、右下腿と左下腿が位置する領域を区画するための内壁４２が設けられている。また、外壁４１および内壁４２の背面側には、下腿の背面を支持するための背壁４３が設けられている。また、外壁４１および内壁４２には、下腿の側面をマッサージするための下腿側面エアバッグ５０が設けられている。背壁４３には、下腿の背面をマッサージするための下腿背面エアバッグ６０が設けられている。
【００１９】
下腿側面エアバッグ５０としては、下腿の上部のマッサージを行うための第１下腿側面エアバッグ５１と、下腿の下部のマッサージを行う第２下腿側面エアバッグ５２とが設けられている。また、これらのエアバッグ５１，５２の間には、第１下腿側面エアバッグ５１と第２下腿側面エアバッグとの境界を形成する境界部分５３が設けられている。
【００２０】
下腿背面エアバッグ６０としては、下腿の背面のマッサージを行う第１下腿背面エアバッグ６１および第２下腿背面エアバッグ６２が設けられている。また、これらエアバッグ６１，６２の間には、第１下腿背面エアバッグ６１と第２下腿背面エアバッグとの境界を形成する境界部分６３が設けられている。
【００２１】
下腿背面エアバッグ６０の境界部分６３は、第１オットマン４０の高さ方向に沿うように設けられている。すなわち、境界部分６３の長手方向とユーザの下腿の延びる方向は一致する。
【００２２】
第１下腿背面エアバッグ６１および第２下腿背面エアバッグ６２は、エアが供給されたとき、内側端部６４よりも外側端部６５が大きく膨らむように構成されている。
第１オットマン４０においては、左側の外壁４１と内壁４２と背壁４３とにより、左下腿に対応した凹部が形成されている。また、右側の外壁４１と内壁４２と背壁４３とにより、右下腿に対応した凹部が形成されている。
【００２３】
左右の下腿が対応する凹部に挿入されたとき、各下腿の側面の上部が対応する第１下腿側面エアバッグ５１と接触する。また、各下腿の下部が対応する第２下腿側面エアバッグ５２と接触する。また、各下腿の背面が対応する第１下腿背面エアバッグ６１および第２下腿背面エアバッグ６２と接触する。
【００２４】
第２オットマン７０には、その幅方向の両端に設けられた外壁７１と、右足と左足が位置する領域を区画するための内壁７２と、足を載せるための底壁７３とが設けられている。底壁７３には、足裏をマッサージするための足裏エアバッグ７４が設けられている。
【００２５】
第２オットマン７０においては、左側の外壁７１と内壁７２と底壁７３により左足に対応した凹部が形成されている。また、右側の外壁７１と内壁７２と底壁７３により右足に対応した凹部が形成されている。
【００２６】
足が第２オットマン７０の凹方の空間に挿入されたとき、足の裏面は足裏エアバッグ７４と接触する。
図３を参照して、下腿側面エアバッグ５０および下腿背面エアバッグ６０および足裏エアバッグ７４にエアを供給するエア供給部８０の構成について説明する。
【００２７】
エア供給部８０には、エアを吐出するエアポンプ８１と、吐出されたエアを圧縮するためのアキュムレータ８２と、圧縮されたエアを下腿側面エアバッグ５０および下腿背面エアバッグ６０および足裏エアバッグ７４に分配するエア分配器８３とが設けられている。また、下腿側面エアバッグ５０および下腿背面エアバッグ６０および足裏エアバッグ７４のエアの供給態様を制御する第１電磁弁９１〜第５電磁弁９５が設けられている。さらに、エアを流通させるためのホース８４と、ホース８４と下腿側面エアバッグ５０および下腿背面エアバッグ６０および足裏エアバッグ７４とを互いに接続する接続口８５とが設けられている。
【００２８】
エアポンプ８１とアキュムレータ８２とは、ホース８４により互いに接続されている。アキュムレータ８２とエア分配器８３とは、ホース８４により互いに接続されている。エア分配器８３と第１電磁弁９１〜第５電磁弁９５とは、ホース８４により互いに接続されている。接続口８５と下腿側面エアバッグ５０および下腿背面エアバッグ６０および足裏エアバッグ７４とは、エア流路８６により互いに接続されている。
【００２９】
アキュムレータ８２から供給される圧縮されたエアは、エア分配器８３によって第１電磁弁９１〜第５電磁弁９５に分配される。
第１電磁弁９１〜第５電磁弁９５は、エア分配器８３からのエアを対応するエアバッグへ供給する状態、エアバッグのエアを排出する状態、エアバッグにエアを保持する状態を有する。
【００３０】
第１電磁弁９１〜第５電磁弁９５は、制御部（図示略）からの指令により動作する。その結果、下腿側面エアバッグ５０および下腿背面エアバッグ６０および足裏エアバッグ７４の膨張および収縮が行われる。
【００３１】
第１電磁弁９１は、第１下腿側面エアバッグ５１のエアの供給態様を制御する。第２電磁弁９２は、第２下腿側面エアバッグ５２のエアの供給態様を制御する。第３電磁弁９３は、足裏エアバッグ７４のエアの供給態様を制御する。第４電磁弁９４は、第１下腿背面エアバッグ６１のエアの供給態様を制御する。第５電磁弁９５は、第２下腿背面エアバッグ６２のエアの供給態様を制御する。
【００３２】
このように、下腿側面エアバッグ５０および下腿背面エアバッグ６０および足裏エアバッグ７４に対応して個別に第１電磁弁９１〜第５電磁弁９５が設けられている。このため、下腿側面エアバッグ５０および下腿背面エアバッグ６０および足裏エアバッグ７４のそれぞれを互いに独立して膨張および収縮させることができる。
【００３３】
制御部は、オットマン３０の動作を制御するためのマッサージモードとして、第１脚モード〜第３脚モードを備えている。操作部の操作により、各マッサージモードのいずれかによりユーザへのマッサージを行う要求が検出されたとき、対応するマッサージモードにより各エアバッグの動作を制御する。
【００３４】
第１脚モードでは、下腿背面に対してたたきもみのマッサージ感を付与する、すなわち第１下腿背面エアバッグ６１および第２下腿背面エアバッグ６２を交互に膨張させることにより叩き感を付与する。
【００３５】
第２脚モードでは、下肢を足から上に向けて順にマッサージする、すなわち足から心臓に向けて血流を促進させる求心法により下肢をマッサージする。また、下腿背面エアバッグ６０による下腿背面のマッサージも併せて行う。
【００３６】
第３脚モードでは、下肢を下腿から下に向けて順にマッサージする、すなわち下腿から足に向けて血流を促進させるためのマッサージである遠心法により下肢をマッサージする。また、下腿背面エアバッグ６０による下腿背面のマッサージも併せて行う。
【００３７】
図４〜図６を参照して、各マッサージモードの詳細について説明する。
図４に、第１脚モードのときの各エアバッグの動作態様を示す。
第１脚モードは、時刻ｔ１１から時刻ｔ１８までの期間を１つの動作サイクルとしている。マッサージモードとして第１脚モードが継続して選択されているときには、上記のサイクルが繰り返し行われる。このマッサージモードにおいては、具体的には次のようにエアバッグの動作が制御される。
【００３８】
時刻ｔ１１すなわち、第１脚モードの１動作サイクルが開始されたとき、第１下腿背面エアバッグ６１へのエアの供給が開始される。時刻ｔ１１Ａすなわち、第１下腿背面エアバッグ６１の体積が所定体積に達したとき、第１下腿背面エアバッグ６１からのエアの排出が開始される。これにより、時刻ｔ１１Ａから所定期間が経過した時刻ｔ１２において第１下腿背面エアバッグ６１が収縮状態に移行する。
【００３９】
時刻ｔ１３すなわち、第１下腿背面エアバッグ６１が収縮状態に移行した時刻ｔ１２から所定期間が経過したとき、第２下腿背面エアバッグ６２へのエアの供給が開始される。時刻ｔ１３Ａすなわち、第２下腿背面エアバッグ６２の体積が所定体積に達したとき、第２下腿背面エアバッグ６２からのエアの排出が開始される。これにより、時刻ｔ１３Ａから所定期間が経過した時刻ｔ１４において第２下腿背面エアバッグ６２が収縮状態に移行する。
【００４０】
時刻ｔ１５すなわち、第２下腿背面エアバッグ６２が収縮状態に移行した時刻ｔ１４から所定期間が経過したとき、第１下腿背面エアバッグ６１へのエアの供給が開始される。
時刻ｔ１５から時刻ｔ１６までの期間においては、時刻ｔ１１から時刻ｔ１２までの期間と同様に第１下腿背面エアバッグ６１の制御が行われる。また、時刻ｔ１７から時刻ｔ１８までの期間においては、時刻ｔ１３から時刻ｔ１４までの期間と同様に第２下腿背面エアバッグ６２の制御が行われる。なお、第１下腿側面エアバッグ５１および第２下腿側面エアバッグ５２および足裏エアバッグ７４は、時刻ｔ１１から時刻ｔ１８までの期間において収縮状態に保持される。
【００４１】
以上のように第１脚モードにおいては、時刻ｔ１１から時刻ｔ１２までの期間は第１下腿背面エアバッグ６１が膨張した状態にあるため、同エアバッグ６１が下腿背面に押し付けられることにより下腿がマッサージされる。また、時刻ｔ１３から時刻ｔ１４までの期間は第２下腿背面エアバッグ６２が膨張した状態にあるため、同エアバッグ６２が下腿背面に押し付けられることにより下腿がマッサージされる。また、時刻ｔ１５から時刻ｔ１６までの期間および時刻ｔ１７から時刻ｔ１８までの期間においても、それぞれ第１下腿背面エアバッグ６１および第２下腿背面エアバッグ６２により下腿がマッサージされる。
【００４２】
図５に、第２脚モードのときの各エアバッグの動作態様を示す。
第２脚モードは、時刻ｔ２１から時刻ｔ２８までの期間を１つの動作サイクルとしている。マッサージモードとして第２脚モードが継続して選択されているときには、上記のサイクルが繰り返し行われる。このマッサージモードにおいては、具体的には次のようにエアバッグの動作が制御される。
【００４３】
時刻ｔ２１すなわち、第２脚モードの１動作サイクルが開始されたとき、足裏エアバッグ７４へのエアの供給が開始される。時刻ｔ２１Ａすなわち、足裏エアバッグ７４の体積が所定体積に達したとき、同エアバッグ７４へのエアの供給が停止される。これにより、足裏エアバッグ７４が膨張した状態で保持される。
【００４４】
時刻ｔ２２すなわち、足裏エアバッグ７４へのエアの供給が開始された時刻ｔ２１から所定期間が経過したとき、第２下腿側面エアバッグ５２へのエアの供給が開始される。時刻ｔ２２Ａすなわち、第２下腿側面エアバッグ５２の体積が所定体積に達したとき、同エアバッグ５２へのエアの供給が停止される。これにより、第２下腿側面エアバッグ５２が膨張した状態で保持される。
【００４５】
時刻ｔ２３すなわち、第２下腿側面エアバッグ５２へのエアの供給が開始された時刻ｔ２２から所定期間が経過したとき、第１下腿側面エアバッグ５１へのエアの供給が開始される。時刻ｔ２３Ａすなわち、第１下腿側面エアバッグ５１の体積が所定体積に達したとき、同エアバッグ５１へのエアの供給が停止される。これにより、第１下腿側面エアバッグ５１が膨張した状態で保持される。
【００４６】
時刻ｔ２４すなわち、第１下腿側面エアバッグ５１へのエアの供給が開始された時刻ｔ２３から所定期間が経過したとき、第１下腿背面エアバッグ６１へのエアの供給が開始される。時刻ｔ２４Ａすなわち、第１下腿背面エアバッグ６１の体積が所定体積に達したとき、同エアバッグ６１からのエアの排出が開始される。これにより、時刻ｔ２４Ａから所定期間が経過した時刻ｔ２５において、第１下腿背面エアバッグ６１が収縮状態に移行する。
【００４７】
時刻ｔ２６すなわち、第１下腿背面エアバッグ６１が収縮状態に移行した時刻ｔ２５から所定期間が経過したとき、第２下腿背面エアバッグ６２へのエアの供給が開始される。時刻ｔ２６Ａすなわち、第２下腿背面エアバッグ６２の体積が所定体積に達したとき、同エアバッグ６２からのエアの排出が開始される。これにより、時刻ｔ２６Ａから所定期間が経過した時刻ｔ２７において第２下腿背面エアバッグ６２が収縮状態に移行する。
【００４８】
時刻ｔ２７Ａすなわち、第２下腿背面エアバッグ６２が収縮状態に移行した時刻ｔ２７から所定期間が経過したとき、第１下腿側面エアバッグ５１および第２下腿側面エアバッグ５２および足裏エアバッグ７４からのエアの排出が開始される。これにより、時刻ｔ２７Ａから所定期間が経過した時刻ｔ２８において各エアバッグが収縮状態に移行する。
【００４９】
以上のように第２脚モードにおいては、時刻ｔ２１〜時刻ｔ２３の順で足裏エアバッグ７４および第２下腿側面エアバッグ５２および第１下腿側面エアバッグ５１が膨張状態に移行するとともに、それぞれ所定期間にわたり膨張状態に保持される。これにより、ユーザの下肢が求心法によりマッサージされる。
【００５０】
図６に、第３脚モードのときの各エアバッグの動作態様を示す。
第３脚モードは、時刻ｔ３１から時刻ｔ３８までの期間を１つの動作サイクルとしている。マッサージモードとして第３脚モードが継続して選択されているときには、上記のサイクルが繰り返し行われる。このマッサージモードにおいては、具体的には次のようにエアバッグの動作が制御される。
【００５１】
時刻ｔ３１すなわち、第３脚モードの１動作サイクルが開始されたとき、第１下腿側面エアバッグ５１へのエアの供給が開始される。時刻ｔ３１Ａすなわち、第１下腿側面エアバッグ５１の体積が所定体積に達したとき、同エアバッグ５１へのエアの供給が停止される。これにより、第１下腿側面エアバッグ５１が膨張した状態で保持される。
【００５２】
時刻ｔ３２すなわち、第１下腿側面エアバッグ５１へのエアの供給が開始された時刻ｔ３１から所定期間が経過したとき、第２下腿側面エアバッグ５２へのエアの供給が開始される。時刻ｔ３２Ａすなわち、第２下腿側面エアバッグ５２の体積が所定体積に達したとき、同エアバッグ５２へのエアの供給が停止される。これにより、第２下腿側面エアバッグ５２が膨張した状態で保持される。
【００５３】
時刻ｔ３３すなわち、第２下腿側面エアバッグ５２へのエアの供給が開始された時刻ｔ３２から所定期間が経過したとき、足裏エアバッグ７４へのエアの供給が開始される。時刻ｔ３３Ａすなわち、足裏エアバッグ７４の体積が所定体積に達したとき、同エアバッグ７４へのエアの供給が停止される。これにより、足裏エアバッグ７４が膨張した状態で保持される。
【００５４】
時刻ｔ３４すなわち、足裏エアバッグ７４へのエアの供給が開始された時刻ｔ３３から所定期間が経過したとき、第１下腿背面エアバッグ６１へのエアの供給が開始される。時刻ｔ３４Ａすなわち、第１下腿背面エアバッグ６１の体積が所定体積に達したとき、同エアバッグ６１からのエアの排出が開始される。これにより、時刻ｔ３４Ａから所定期間が経過した時刻ｔ３５において第１下腿背面エアバッグ６１が収縮状態に移行する。
【００５５】
時刻ｔ３６すなわち、第１下腿背面エアバッグ６１が収縮状態に移行した時刻ｔ３５から所定期間が経過したとき、第２下腿背面エアバッグ６２へのエアの供給が開始される。時刻ｔ３６Ａすなわち、第２下腿背面エアバッグ６２の体積が所定体積に達したとき、同エアバッグ６２からのエアの排出が開始される。これにより、時刻ｔ３６Ａから所定期間が経過した時刻ｔ３７において第２下腿背面エアバッグ６２が収縮状態に移行する。
【００５６】
時刻ｔ３７Ａすなわち、第２下腿背面エアバッグ６２が収縮状態に移行した時刻ｔ３７から所定期間が経過したとき、第１下腿側面エアバッグ５１および第２下腿側面エアバッグ５２および足裏エアバッグ７４からのエアの排出が開始される。これにより、時刻ｔ３７Ａから所定期間が経過した時刻ｔ３８において各エアバッグが収縮状態に移行する。
【００５７】
以上のように第３脚モードにおいては、時刻ｔ３１〜時刻ｔ３３の順で第１下腿側面エアバッグ５１および第２下腿側面エアバッグ５２および足裏エアバッグ７４が膨張状態に移行するとともに、それぞれ所定期間にわたり膨張状態に保持される。これにより、ユーザの下肢が求心法によりマッサージされる。
【００５８】
本実施形態によれば以下の効果が得られる。
（１）オットマン３０は、下腿背面エアバッグ６０として、境界部分６３を介して隣り合う第１下腿背面エアバッグ６１および第２下腿背面エアバッグ６２を備える。また、下腿の延びる方向に沿うように境界部分６３が形成されている。
【００５９】
この構成によれば、左右の下腿のそれぞれに対応する凹部において、下腿の背面全体に対応する単一の背面エアバッグを備えるオットマン（以下「仮想オットマンＡ」）と比較して、下腿背面エアバッグ６０が下腿背面によりフィットする。このため、下腿のマッサージ効果を高めることができる。
【００６０】
（２）オットマン３０は、下腿の側面をマッサージする下腿側面エアバッグ５０を備える。また、下腿側面エアバッグ５０として、境界部分５３を介して隣り合う第１下腿側面エアバッグ５１および第２下腿側面エアバッグ５２を備える。また、下腿の幅方向に沿うように境界部分５３が形成されている。
【００６１】
この構成によれば、下腿側面のうち、心臓に遠い部位から近い部位にマッサージする求心法を行うことができる。また、下腿の側面のうち心臓に近い部位から心臓に遠い部位にマッサージする遠心法を行うことができる。
【００６２】
（３）オットマン３０においては、第１電磁弁９１および第２電磁弁によって互いに独立して動作することができるように第１下腿側面エアバッグ５１および第２下腿側面エアバッグ５２が構成されている。また、第４電磁弁９４および第５電磁弁９５によって互いに独立して動作することができるように第１下腿背面エアバッグ６１および第２下腿背面エアバッグ６２が構成されている。
【００６３】
この構成によれば、１つの電磁弁によって下腿側面エアバッグ５０および下腿背面エアバッグ６０の動作を制御しているオットマン（以下「仮想オットマンＢ」）と比較して、より変化に富んだマッサージを行うことができる。
【００６４】
（その他の実施形態）
なお、本発明の実施態様は上記各実施形態に例示した態様に限られるものではなく、これを例えば以下に示すように変更することもできる。また以下の各変形例は、上記各実施形態についてのみ適用されるものではなく、異なる変形例同士を互いに組み合わせて実施することもできる。
【００６５】
・上記実施形態の第１脚モード〜第３脚モードの少なくとも１つに代えて、またはこれらのモードに加えて、以下の第４脚モードおよび第５脚モードの少なくとも一方をマッサージモードとして予め用意しておくこともできる。
【００６６】
（Ａ）図７に、第４脚モードのときの各エアバッグの動作態様を示す。
第４脚モードは、時刻ｔ４１から時刻ｔ４６までの期間を１つの動作サイクルとしている。マッサージモードとして第４脚モードが継続して選択されているときには、上記のサイクルが繰り返し行われる。このマッサージモードにおいては、具体的には次のようにエアバッグの動作が制御される。
【００６７】
時刻ｔ４１すなわち、第４脚モードの１動作サイクルが開始されたとき、第１下腿背面エアバッグ６１および第２下腿背面エアバッグ６２へのエアの供給が開始される。時刻ｔ４１Ａすなわち、第１下腿背面エアバッグ６１および第２下腿背面エアバッグ６２の体積が所定体積に達したとき、各エアバッグ６１，６２からのエアの排出が開始される。これにより、時刻ｔ４１Ａから所定期間が経過した時刻ｔ４２において第１下腿背面エアバッグ６１および第２下腿背面エアバッグ６２が収縮状態に移行する。
【００６８】
時刻ｔ４３すなわち、第１下腿背面エアバッグ６１および第２下腿背面エアバッグ６２が収縮状態に移行してから所定期間が経過したとき、これらエアバッグへのエアの供給が開始される。
【００６９】
時刻ｔ４３から時刻ｔ４４までの期間および時刻ｔ４５から時刻ｔ４６までの期間においては、時刻ｔ４１から時刻ｔ４３までの期間と同様に第１下腿背面エアバッグ６１および第２下腿背面エアバッグ６２の制御が行われる。なお、第１下腿側面エアバッグ５１および第２下腿側面エアバッグ５２および足裏エアバッグ７４は、時刻ｔ４１から時刻ｔ４６までの期間において収縮状態に保持される。
【００７０】
以上のように第４脚モードにおいては、第１下腿背面エアバッグ６１および第２下腿背面エアバッグ６２が膨張した状態と、第１下腿背面エアバッグ６１および第２下腿背面エアバッグ６２が収縮した状態とが繰り返される。
【００７１】
（Ｂ）図８に、第５脚モードのときの各エアバッグの動作態様を示す。
第５脚モードは、時刻ｔ５１から時刻ｔ５８までの期間を１つの動作サイクルとしている。マッサージモードとして第５脚モードが継続して選択されているときには、上記のサイクルが繰り返し行われる。このマッサージモードにおいては、具体的には次のようにエアバッグの動作が制御される。
【００７２】
時刻ｔ５１すなわち、第５脚モードの１動作サイクルが開始されたとき、第１下腿背面エアバッグ６１へのエアの供給が開始される。時刻ｔ５１Ａすなわち、第１下腿背面エアバッグ６１の体積が所定体積に達したとき、同エアバッグ６１へのエアの供給が停止される。これにより、第１下腿背面エアバッグ６１が膨張した状態で保持される。
【００７３】
時刻ｔ５２すなわち、第１下腿背面エアバッグ６１へのエアの供給が開始された時刻ｔ５１から所定期間が経過したとき、第２下腿背面エアバッグ６２へのエアの供給が開始される。時刻ｔ５２Ａすなわち、第２下腿背面エアバッグ６２の体積が所定体積に達したとき、同エアバッグ６２へのエアの供給が停止される。これにより、第２下腿背面エアバッグ６２が膨張した状態で保持される。
【００７４】
時刻ｔ５２Ｂすなわち、第１下腿背面エアバッグ６１の膨張状態の保持が開始されてから所定期間が経過したとき、同エアバッグ６１からのエアの排出が開始される。これにより、時刻ｔ５２Ｂから所定期間が経過した時刻ｔ５３において第１下腿背面エアバッグ６１が収縮状態に移行する。
【００７５】
時刻ｔ５３Ａすなわち、第２下腿背面エアバッグ６２の膨張状態の保持が開始されてから所定期間が経過したとき、同エアバッグ６２からのエアの排出が開始される。これにより、時刻ｔ５３Ａから所定期間が経過した時刻ｔ５４において第２下腿背面エアバッグ６２が収縮状態に移行する。
【００７６】
時刻ｔ５５すなわち、第１下腿背面エアバッグ６１が収縮状態に移行した時刻ｔ５３から所定期間が経過したとき、同エアバッグ６１へのエアの供給が開始される。
時刻ｔ５５から時刻ｔ５８までの期間においては、時刻ｔ５１から時刻ｔ５４までの期間と同様に、第１下腿背面エアバッグ６１および第２下腿背面エアバッグ６２の制御が行われる。なお、第１下腿側面エアバッグ５１および第２下腿側面エアバッグ５２および足裏エアバッグ７４は、時刻ｔ５１から時刻ｔ５８までの期間において収縮状態に保持される。
【００７７】
・上記実施形態では、第１下腿背面エアバッグ６１および第２下腿背面エアバッグ６２に対して個別に接続口８５を設けたが、個別の接続口８５に代えて、各エアバッグ６１，６２に対して共通の接続口を設けることもできる。この場合には、右下腿の背面エアバッグ６０および左下腿の背面エアバッグ６０のそれぞれに１個の接続口が設けられる。また、各背面エアバッグ６０においては、第１下腿背面エアバッグ６１および第２下腿背面エアバッグ６２が実質的に同じタイミングで膨張および収縮する。また、図７に示される第４脚モードにより下腿のマッサージを行うことができる。
【００７８】
・上記実施形態では、４つの第１下腿側面エアバッグ５１を１つの第１電磁弁９１を用いて制御したが、これら４つの第１下腿側面エアバッグ５１をそれぞれ異なる電磁弁で制御することもできる。この場合にはさらに変化に富んだマッサージを行うことができる。
【００７９】
・上記実施形態では、４つの第２下腿側面エアバッグ５２を、１つの第２電磁弁９２を用いて制御したが、これら４つの第２下腿側面エアバッグ５２をそれぞれ異なる電磁弁で制御することもできる。この場合には、さらに変化に富んだマッサージを行うことができる。
【００８０】
・上記実施形態では、２つの足裏エアバッグ７４を、１つの第３電磁弁９３を用いて制御したが、これら２つの足裏エアバッグ７４をそれぞれ異なる電磁弁で制御することもできる。この場合には、さらに変化に富んだマッサージを行うことができる。
【００８１】
・上記実施形態では、２つの第１下腿背面エアバッグ６１を、１つの第４電磁弁９４を用いて制御したが、これら４つの第１下腿背面エアバッグ６１をそれぞれ異なる電磁弁で制御することもできる。この場合には、さらに変化に富んだマッサージを行うことができる。
【００８２】
・上記実施形態では、２つの第２下腿背面エアバッグ６２を、１つの第５電磁弁９５を用いて制御したが、これら４つの第２下腿背面エアバッグ６２をそれぞれ異なる電磁弁で制御することもできる。この場合には、さらに変化に富んだマッサージを行うことができる。
【００８３】
・上記実施形態では、各エアバッグの制御が予め設定されたマッサージモードに基づいて行われたが、ユーザによる操作部の操作に基づいて、マッサージモードとは異なる態様で各エアバッグを動作させることもできる。
【符号の説明】
【００８４】
１…マッサージ装置、３０…オットマン、５０…下腿側面エアバッグ、５１…第１下腿側面エアバッグ、５２…第２下腿側面エアバッグ、６０…下腿背面エアバッグ、６１…第１下腿背面エアバッグ、６２…第２下腿背面エアバッグ、５３…境界部分、６３…境界部分。
【図１】
2012070768.tif 000003
【図２】
2012070768.tif 000004
【図３】
2012070768.tif 000005
【図４】
2012070768.tif 000006
【図５】
2012070768.tif 000007
【図６】
2012070768.tif 000008
【図７】
2012070768.tif 000009
【図８】
2012070768.tif 000010